(57)【要約】      （修正有）【課題】接着剤組成物の経済的、効率的使用を可能とするアプリケータ／ディスペンサーを提供する。【解決手段】組立品は、重合性モノマー接着剤材料を散布及び/又は塗布するためのアプリケーター/ディスペンサー組立品であって、第一及び第二胴体部の他のものと関連してすくなくとも１つが移動可能な第一胴体部及び第二胴体部と、前記第一胴体部及び第二胴体部の少なくとも１つにおけるキャビティーと、前記第一胴体部及び第二胴体部の少なくとも１つに設置された貫通又は切断部材と、からなる組立品であり、前記第一及び第二胴体部の他のものに関連して第一及び第二胴体部の１つの動作が、前記貫通又は切断部材をキャビティーの中へ移動させる。【選択図】図１
2004337837.tif 000002
【特許請求の範囲】
【請求項１】
重合性モノマー接着剤材料を散布及び/又は塗布するためのアプリケーター/ディスペンサー組立品であって、
第一及び第二胴体部の他のものと関連してすくなくとも１つが移動可能な第一胴体部及び第二胴体部と、
前記第一胴体部及び第二胴体部の少なくとも１つにおけるキャビティーと、
前記第一胴体部及び第二胴体部の少なくとも１つに設置された貫通又は切断部材と、からなる組立品であり、前記第一及び第二胴体部の他のものに関連して第一及び第二胴体部の1つの動作が、前記貫通又は切断部材をキャビティの中へ移動させることを特徴とする組立品。
【請求項２】
突起又はブレーキ部材が、少なくとも対立する部材からなる請求項1記載のアプリケーター/ディスペンサー組立品。
【請求項３】
さらに、少なくともキャビティー内の一部に配置された接着材料の容器からなり、第一及び第二胴体部の他のものに関連する第一及び第二胴体部分の一つの動作が、貫通又は切断部材を動かし、容器を破壊することを特徴とする請求項1記載の組立品。
【請求項４】
さらに、少なくとも１つの開口を有し、接着性の容器を囲む第二容器からなり、第一及び第二胴体部の他のものに関連して第一及び第二胴体部の動作が、貫通又は切断部材を動かし、第二容器を切断することなしに、接着剤を含む容器を破壊することを特徴とする請求項3記載の組立品。
【請求項５】
第二容器が開口ホールを含むことを特徴とする請求項4記載の組立品。
【請求項６】
接着剤材料が、重合性モノマー接着剤材料である請求項3記載の組立品。
【請求項７】
接着剤材料が、重合性1,1-2基置換エチレンモノマー配合物からなる請求項３の組立品。
【請求項８】
接着剤材料が、シアノアクリレート配合物からなる請求項3記載の組立品。
【請求項９】
第二胴体部が、第一胴体部に関連して回転可能である請求項1記載の組立品。
【請求項１０】
さらに、貫通又は切断部が配置された第一及び第二胴体部の1つ以外の第一及び第二胴体部の１つに配置されたカム表面からなり、第一胴体部に関連した第二胴体部の回転が、貫通及び切断部材をキャビティーの中へ、カム表面と貫通又は切断部材を接触させることによって動かすことを特徴とする請求項９記載の組立品。
【請求項１１】
前記貫通又は切断部材が、少なくとも２つの対立する部材からなり、前記カム表面が少なくとも２つの対応する表面からなる請求項１０記載の組立品。
【請求項１２】
さらに、キャビティー内の少なくとも一部に配置され、少なくとも一部が柔軟であるブレンダーと、
前記ブレンダー内に配置され、少なくともキャビティー内に位置する接着剤材料の容器と、からなり、第一及び第二胴体部の他のものに関連して第一及び第二胴体部の１つの動作が、貫通又は切断部材を動かし、容器を破壊することを特徴とする請求項１記載の組立品。
【請求項１３】
さらに、前記ブレンダーの開口に少なくとも一部配置されたプラブ部材からなり、前記プラグ部材が、ポーラス、吸収性、及び自然状態における吸収性の少なくとも１つを有する材料からなる請求項１２記載の組立品。
【請求項１４】
プラブ部材が、アプリケーターチップからなる請求項１３記載の組立品。
【請求項１５】
重合性モノマーに対する薬剤、重合開始剤、重合率変更剤、及び安定剤は、プラグ部材の中又は上にある請求項１３記載の組立品。
【請求項１６】
少なくとも請求項１記載の１つのアプリケーター/ディスペンサーと、
前記少なくとも１つのアプリケーター/ディスペンサーノキャビティーにおいて少なくとも一部に置かれるために設置された接着剤材料の複数の容器と、からなるキットであって、第一及び第二胴体部の他のものに関連して第一及び第二胴体部の１つの動作が、貫通又は切断部材を動かし、キャビティ内に少なくとも一部に設置された容器の少なくとも１つを破壊することを特徴とするキット。
【請求項１７】
接着剤材料の塗布/散布方法であって、請求項１記載のアプリケーター/ディスペンサーのキャビティーの中へ少なくとも１部で接着剤材料の容器を設置し、
第一及び第二胴体部の他のものに関連して第一及び第二胴体部の１つの動作が、キャビティ内の少なくとも一部に設置された容器を破壊するために、貫通又は切断部材を動かし、
接着剤材料をキャビティーから散布することからなる方法。
【請求項１８】
さらに、散布された接着剤材料を結合すべき物質へ適用することからなる請求項１７記載の方法。
【請求項１９】
結合すべき物質が組織である請求項１８記載の方法。
【請求項２０】
第一及び第二胴体部の他のものに関連して第一及び第二胴体部の１つの動作が、第一及び第二胴体部の他のものに関連して第一及び第二胴体部の１つを回転させることを特徴とする請求項１７記載の組立品
【発明の詳細な説明】
【技術分野】
【０００１】
本出願は、2003年2月7日に出願され、その出願日の利益を請求する米国出願番号10/359,699号のCIP出願である。
【背景技術】
【０００２】
本発明は、特に、医療用途用の、例えば、シアノアクリレート接着剤などの、重合性モノマー化合物等の接着剤材料を散布及び塗布するためのアプリケーター、ディスペンサーに関する。
【０００３】
接着剤材料を含め種々の材料を散布及び塗布するための多数のスワブ、アプリケーター、ディスペンサー及びキットが知られている。しかしながら、これらの知られた装備は、多くの用途においてそれらを望ましくないとする種々の欠点を有する。
【０００４】
モノマー及びポリマー接着剤は、(家庭用を含め)産業及び医療用途の両方において使用される。これらの接着剤の中には、α―シアノアクリレートなどの1,1-2基置換エチレンモノマー及びポリマーが含まれる。このようなモノマー及びポリマーの接着剤特性が発見されたので、それらは、それらが硬化する速度、形成され生じる結合の強度、及び使用の相対的な容易性のため広い用途が見出された。これらの特性は、α-シアノアクリレート接着剤へ、プラスチック、ラバー、ガラス、金属、木、及び最近では、生物組織の結合など種々の用途の主要な選択肢を与えた。
【０００５】
11-２基置換エチレンモノマー接着剤組成物の医療用途は、創傷閉口における外科縫合及び止め金への代替物質又は付属物として、そして、裂傷、擦り傷、やけど、口内炎、腫れ物、及び他の開口表面創傷など、組織創傷をカーバー又は保護するため用途を含む。このような接着剤を適用したとき、通常そのモノマー形態で適用され、生じた重合体は、所望の接着結合を生じる。
【０００６】
11-二基置換エチレン配合物などの重合性及び/又は架橋可能な物質を散布するためのアプリケーターは、Leung等の米国特許第5,928,611号及び1999年の10月29日に出願された係属中の特許出願番号第09/430,177号に開示されている。一般に、多くの異なる1,1-二置換エチレン配合物が例えば、即効性の外科接着剤、封止剤、生物活性剤放出マトリックス、としてシアノアクリレート配合物、医療、外科及びその他の生体内用途において利用されるインプラントなど種々の用途用に知られている。そのような配合物は、Leung及びここで引用される参照文献によって開示されるものも含む。
【０００７】
しかしながら、そのモノマー型において接着剤を適用する必要のため、及びモノマーの迅速な重合割合のために、効果的及び商業的に実行可能なアプリケーター及び/又はディスペンサーを設計することは非常に困難であった。当該アプリケーター及び/又はディスペンサーは、モノマーの時期尚早の重合化が起こらず、モノマーを容易に適用され、モノマーが所望の速度で用途に対して重合し、モノマー及びアプリケーターの衛生及び/又は殺菌特性がー実際に又は認知されてー維持されることの、競合する要求を埋め合わせなければならない。モノマー及びアプリケーターの現実又は把握された衛生及び殺菌状態を維持するという後者の要求は、使用者及び/又は患者が清潔な産物を望み、創傷部位の中へ更なるバクテリア又は外来物質を導入しないようにする場合、医療用途において特に重要である。
【０００８】
接着剤アプリケーター及び/又はディスペンサーの上記要求に対処する際のさらなる問題は、安定なモノマー産物を提供する必要性である。特に少量のシアノアクリレートモノマーは、生産物を使い道がないものとする時期尚早の重合を与える傾向がある。それゆえ、モノマー接着剤組成物の産業製品は、貯蔵期間での迅速な硬化速度と高い結合強度を均衡にしなければならなかった。これらの接着剤の貯蔵期間は、主として安定性（すなわち、組成性質の安定性）、非硬化物理特性、接着剤の硬化の速度、及び組成物の最終的な効果特性に関係する。例えば、モノマーα―シアノアクリレート組成物の貯蔵期間は、粘度増加によって測定されるなど重合の不適用なレベルが生じる前の組成物を貯蔵することができる時間の関数として測定することができる。不適用なレベルは、それが生産される用途における組成物の有用性が減少する重合体産物のレベルによって指示される。
【０００９】
既知の装置は、種々の表面及び構造上に接着剤材料を首尾よく散布及び塗布するために最適なアプリケーター及び/又はディスペンサーを提供していない。既知のアプリケーターは、一般に他の組成物に輸送に最適か、又は接着剤と結合する用途に不都合であるかいずれかである。さらに、当該従来の装置は、使用し易さ及び適用前の接着剤安定性の競合する必要性に取り組んでいない。
【発明の開示】
【発明が解決しようとする課題】
【００１０】
本発明は、接着剤組成物の経済的及び効率的使用を可能とするアプリケーターおよびディスペンサーを提供することによって上述の要求に取り組む。本発明の実施態様において、よりユーザーフレンドリーであるアプリケーター及び/又はディスペンサーが提供される。本発明の実施態様において、より人間工学的なアプリケーター及び/又はディスペンサーが提供される。本発明の実施態様において、アプリケーター及び/又はディスペンサーが提供され、それによって、接着剤材料の量が首尾よく塗布される。アプリケーター及び/又はディスペンサーは、所望の用途に依存して、簡単に処分できるか再利用可能かのいずれかとすることができる。
【課題を解決するための手段】
【００１１】
実施態様において、アプリケーター及び/又はディスペンサーは、接着剤を散布及び/又は塗布するためのハンドによる操作を容易にするために設計される。例えば,本発明の実施態様において、ペン状のアプリケーター及び/又はディスペンサーが提供され、使用者に親しみやすい感情を提供する。実施態様において、アプリケーター及び/又はディスペンサーは、ユーザーにより心地よく、握りやすく及び/又は動作しやすく設計される。
【００１２】
実施態様において、アプリケーター及び/又はディスペンサーは、接着剤組成物へ別の安定剤物質を重合性モノマーに加える必要なしに、適用可能な安定性及び貯蔵期間を提供する。それゆえ、これらの実施態様において、貯蔵期間がアプリケーター及び/又はデスペンサーそれ自体に提供されるので、一又はそれ以上の安定剤が加えられる場合、接着剤組成物の硬化速度は逆に影響されない。したがって、別の重合開始剤又は速度調整剤を提供する必要性は、減少させるか除去することさえできる。
【００１３】
他の実施態様において、アプリケーター及び/又はディスペンサーは、接着剤材料用の重合性開始剤又は促進剤を含む。重合性開始剤又は促進剤は、アプリケーターの先端又は他の部分に又は上に散布することができる。重合開始剤又は促進剤は、アプリケーターのポーラス部分の中へ吸収することができるか、又はアプリケーターの表面上か、アプリケーターの部分の中に組み込まれた他のものへ被膜することができる。アプリケーター及び/又はディスペンサーは、例えば、使用前に接着剤材料から分離された重合開始剤又は促進剤を保持するために、第一及び第二区画を分離する曲がりやすいバリアーを含むこともできる。
【００１４】
特に、本発明は、接着剤材料を散布及び/又は塗布するためのアプリケーター/ディスペンサーであって、
第一及び第二胴体部の他のものと関連してすくなくとも１つが移動可能な第一胴体部及び第二胴体部と、
前記第一胴体部及び第二胴体部の少なくとも１つにおけるキャビティーと、
前記第一胴体部及び第二胴体部の少なくとも１つに設置された貫通又は切断部材と、からなるアプリケーター/ディスペンサーであり、
前記第一及び第二胴体部の他のものに関連して第一及び第二胴体部の1つの動作が、前記貫通又は切断部材をキャビティの中へ移動させることを特徴とすることを意図する。種々の実施態様において、さらにアプリケーター/ディスペンサーは、キャビティー内の少なくとも1部に配置された接着剤材料の容器からなり、前記第一及び第二胴体部の他のものに関連して第一及び第二胴体部の1つの動作が、前記貫通又は切断部材を移動させて、前記容器を破壊することを特徴とする。
【００１５】
実施態様において、接着剤材料は、重合性モノマー接着材料からなる。実施態様において、接着剤材料は、重合性１,1-2基置換エチレンモノマー配合物からなる。さらに他の実施態様において、接着剤材料は、シアノアクリレート配合物からなる。
【００１６】
実施態様において、重合性モノマー接着剤材料用のアプリケーター/ディスペンサーは、別の安定剤材料を重合性モノマーへ加える必要性なしに、接着剤組成物へ適用可能な安定性及び貯蔵時間を提供する材料を含む。上述に着目したように、貯蔵期間は、アプリケーター及び/又はディスペンサーの材料によって提供されるので、接着剤組成物の硬化速度は、逆に影響されない。それゆえ、別の重合開始剤又は速度調整剤を適用する必要性は、減少又は省略することができる。
【００１７】
他の実施態様において、アプリケーター/ディスペンサーは、接着剤材料用の重合開始剤又は促進剤を含む。
【００１８】
実施態様において、アプリケーター.ディスペンサーはさらに第一及び第二胴体部に可動的に連結する回転する連結部からなる。実施態様において、第一及び第二胴体部は、アプリケーター/ディスペンサーのハンドル部分からなることができる。
【００１９】
他の実施態様において、第二胴体部は、第一胴体部に関連して回転可能である。実施態様において、アプリケーター/ディスペンサーは、さらに、その上に貫通又は切断部材が配置された第一及び第二胴体部の１つ以外の第一及び第二胴体部の1つ上に配置されたカム表面からなり、第一胴体部に関連して第二胴体部の回転は、貫通又は切断部材をキャビティの中へカム表面と貫通又は切断部材とを接触させることによって移動させる。
【００２０】
実施態様において、アプリケーター/ディスペンサーは、さらに、キャビティー内の少なくとも一部に配置され、少なくとも一部が柔軟であるブレンダーと、
前記ブレンダー内に配置され、少なくともキャビティー内に位置する接着剤材料の容器と、からなり、
第一及び第二胴体部の他のものに関連して第一及び第二胴体部の１つの動作が、貫通又は切断部材を動かし、容器を破壊することを特徴とする。
を移動させて、前記容器を破壊することを特徴とする。実施態様において、アプリケーター/ディスペンサーは、さらに、ブレンダーの開口の少なくとも一部に配置されたプラグ部材であって、少なくともポーラス、吸収性、及び自然の状態での吸収性の少なくとも1つを有する材料からなりプラグ部材からなる。実施態様において、プラグ部材は、アプリケーターチップからなる。
【００２１】
実施態様において、アプリケーター/ディスペンサーは、さらに、キャビティの少なくとも1部に配置されたプランジャー部と、キャビティの外側の少なくとも1部に配置されたスライド部とを有するスライド組立品であって、前記スライド組立品は、プランジャー部を、キャビティの散布開口に向って移動させるのにスライドして可動可能であるスライド組立品と、前記スライド組立品のスライド部分が延長する第一及び第二胴体部の少なくとも１つの開口と、からなる。実施態様において、アプリケーター/ディスペンサーはさらに、キャビティの散布開口とスライド体のプランジャー部との間のキャビティ内に配置された接着剤材料の容器からなり、第一及び第二胴体部の他のものに関連して第一及び第二胴体部の１つの動作が、貫通又は切断部材を動かし、容器を破壊し、スライド部材の動作は、プランジャー部を移動させて、一度容器が破壊されると、接着剤材料をキャビティから散布することを特徴とする。
【００２２】
他の実施態様において、本発明は、少なくとも１つのアプリケーター/ディスペンサーと、前記少なくとも１つのアプリケーター/ディスペンサーのキャビティにおいて少なくとも1部に設置されるために配置された接着剤材料の複数の容器とからなるキットであって、
第一及び第二胴体部の他のものに関連して第一及び第二胴体部の１つの動作が、貫通又は切断部材を動かし、キャビティの少なくとも1部に配置された容器の１つを破壊することを特徴とするキットを意図する。実施態様において、キットはさらに、可動可能な複数のアプリケーターチップからなる。実施態様において、キットは、さらに、接着剤材料用の重合開始剤又は速度調整剤からなる。実施態様において、少なくとも２つの複数の容器は、異なる量の接着剤材料を含む。他の実施態様において、少なくとも2つの複数の容器は、異なる接着剤材料を含む。
【００２３】
他の実施態様において、本発明は、アプリケーター/ディスペンサーのキャビティーの中へ少なくとも１部で接着剤材料の容器を設置し、
第一及び第二胴体部の他のものに関連して第一及び第二胴体部の１つの動作が、キャビティ内の少なくとも一部に設置された容器を破壊するために、貫通又は切断部材を移動させて、
接着剤材料をキャビティーから散布することからなる接着剤材料の塗布/散布方法を意図する。実施態様において、本方法は、さらに、塗布した接着剤を結合すべき物質へ適用することからなる。
【００２４】
本発明の種々の他の特徴及び利点は、例示的な実施態様の以下の詳細な説明から明らかであろう。
【００２５】
本発明の実施例を、添付した図面を参照して、以下に詳細に記載する。
【発明を実施するための最良の形態】
【００２６】
本発明の実施態様において、所望量の重合性接着剤材料を簡単な塗布を容易にしたアプリケーター/ディスペンサーが提供される。実施態様において、重合性接着剤材料の量は、アプリケーター/ディスペンサーの活性を壊す壊れやすいアンプールにおいてアプリケーター/ディスペンサーにおいて梱包される。壊れやすいアンプールは、重合性接着剤材料の量に対して安定性及び/又は貯蔵時間を提供することができる。
【００２７】
本発明は、ここで描写される特定のデザインに限定されるものではないが、図１〜４は、本発明の第一の実施態様を図説する。図１及び2に示されるように、アプリケーター/ディスペンサー１００は、他方に関連して可動可能な第一胴体部１１０及び第二胴体部１２０によって形成される。例えば、示された実施態様において、第一胴体部１１０と第二胴体部１２０を図1に図説され、相対的に離れて位置する開口から、図２に図説された実質的に閉じた隣接の位置へ移動可能とする回転連結１３０を提供する。図１に図説された相対的な位置は、アプリケーター/ディスペンサー１００に予め梱包された量の重合性接着剤材料を有する実施態様において、コックした位置であることができる。
【００２８】
第一胴体部１１０及び第二胴体部１２０はブレンダーを中へ固定することができる空間を定義する。図１及び２に示されるように、第一胴体部１１０は、ブレンダー１４０のプッシュボタン部１４２をそれを通じて延長することができる開口１１２を有する。以下に説明されるように、プッシュボタン１４２は、重合性接着剤材料の所望の量を、例えば、分離可能な又は取り替え可能なチップ１５０を通じて、アプリケーター/ディスペンサー１００から、散布するために使用者によって押される。使用者の親指又は指は、プッシュボタン１４２を押ために使用することすることができる一方、アプリケーター/ディスペンサーは１００は、ハンドルとして第一及び第二胴体部１１０、１２０によって保持される。例えば、使用者は、ペンとしてアプリケーター/ディスペンサー１００を握ることができ、人差し指でプッシュボタン１４２をプレスすることができる。
【００２９】
分離可能な又は取り替え可能なチップ１５０は、選択的であり、いかなる所望の構造をとることができると理解されるべきである。もし分離可能な又は取り替え可能なチップ１５０が提供されないか、使用されないなら、ポーラスプラグ１７０は、以下に述べるように、ディスペンサー/アプリケーター１００のチップを形成することができる。チップ１５０は、特定の用途用に選択することができ、示されたタッパーノズル設計に限定されない。例えば、アプリケーターチップは、繊維スワブ、スポンジスワブ、発泡スワブ、ブラシ、スパチュラーなどとすることができる。既知の又はここで開発された適当なチップは、本発明によるアプリケーター/ディスペンサーと使用することができる。
【００３０】
チップ１５０、アプリケーター/ディスペンサー１００の末端部分１６０に渡り摩擦適合するように設計することができる。あるいは、チップ１５０は、以下に述べるように、ブレンダー１４０の開口末端に位置するポーラスプラグ１７０上に直接的に固定することができる。
【００３１】
第一胴体部１１０、第二胴体部１２０、ブレンダー１４０及び/又はチップ１５０は、いずれの適当な材料、好ましくは、時期尚早の重合化を避けるために散布すべき重合可能な接着剤材料の安定性を促進する材料からなることができる。
【００３２】
ポーラスプラグ１７０は、重合開始剤又は散布すべき重合接着剤材料用の速度調整剤を含むことができる。ポーラスプラグ１７０は、重合開始剤又は速度調整剤を含ませることができるか、その表面に被膜された重合開始剤又は速度調整剤を有することができる。
【００３３】
図３は、アプリケーター/ディスペンサー１００から除去されたブレンダー１４０の模範的な実施態様を示す。上述したように、ブレンダー１４０は、中にポーラスプラグ１７０が固定されている開口末端１４４を有する。ブレンダー１４０は、適当なラバー、シリコン又はプラスチック材料、例えば、塩化ポリビニル、ポリエチレン、ポリウレタン、天然又はニトリルラバー、又はそれらのいずれかの組み合わせを胴型することができる。
【００３４】
重合性接着剤１４８の量を含む壊れやすいアンプール１４６は、ブレンダー１４０に配置される。壊れやすいアンプール１４６は、いずれの適当な材料、好ましくは、重合性接着剤材料１４８の安定性及び貯蔵期間を向上させる材料からなることができる。例えば、壊れやすいアンプール１４６は、ガラスからなることができる。他の材料、例えば、プラスチック材料、例えばアルミニウムなどの穴をあけることが可能な材料を、壊れやすいアンプールに使用することができる。本発明のディスペンサー/アプリケーターに使用することができる適当なアンプールの例は、例えば、全体の開示を参照によりここで組み込む米国特許第5,928,611号に記載されている。実際に、当該アンプールを本発明において使用する場合、それによって、アンプール１４４のみならず、ポーラスプラグ１７０を構成する全アンプール/アプリケーター装置を使用することができる。当該実施態様において、本発明のディスペンサー/アプリケーターは、Ethicon(Somerville,New Jersey)から入手可能なDERMANBOND(登録商標)局所皮膚接着剤製品を含む接着剤を散布又は塗布するのに特に適当である。
【００３５】
図４は、アプリケーター/ディスペンサー１００の末端部分１６０における開口を通じて延長するポーラスプラグ１７０を有する第一胴体部１１０と第二胴体部１２０との間の空間へ組み立てられ、挿入されたブランダー１４０、プッシュボタン１４２、壊れやすいアンプール１４６及びポーラスプラグ１７０を図示する。図4に示すように、第二胴体部１２０は、その内側表面から内側で延長する貫通又は切断部材１２２を含む。切断部材１２２は、第一及び第二胴体部１１０、１２０が、図１に示される開口部から図２に示される閉口部へ移動するとき、壊れやすいアンプール１４６が切断部材１２２によって破壊されるように位置される。第一及び第二胴体部１１０、１２０は、回転接合上のレバーとして作用し、それゆえ、壊れやすいアンプール１４６の破壊を容易にするための機械的利点を与える。
【００３６】
一度、第一及び第二胴体部１１０、１２０を図２に示す閉口位置へ移動して、壊れやすいアンプール１４６が壊れ、第一及び第二胴体部１１０、１２０が、偶発的に図１に示される開口位置へ戻るのを防止することができる。例えば、移動止め又は他の適当なラッチ機構を第一及び第二胴体部１１０、１２０をかみ合わせるのに使用することができる。アプリケーター/ディスペンサー１００は、最初に供給される重合性接着剤材料１４８の量で使用されるだけの実施態様において、ラッチ機構を不可逆的とすることができる。
【００３７】
示される実施態様において、切断部材１２２は、プッシュボタン１４２韓はなして、ブレンダー１４０の開口末端１４４近傍に位置させる。この位置は、ブレンダー１４０の開口末端１４４近傍の壊されるべき壊れやすいアンプール１４６が、重合性接着剤ブレンダー１４０から流れ、その流れが壊れたアンプールのより大きな断片によって妨げられないことを確実にするのを助ける。さらに、プッシュボタン部１４２から離れた壊れやすいアンプール１４６の破壊は、偶発的にプッシュボタン１４２を偶発的に貫通し使用者の親指又は指を切る可能性がある断片を回避するのを助けることができる。図示しないが、ブラダー140は、当該出現を防ぐために、プッシュボタン１４２でより厚いか強化することができる。あるいは、アンプール１４６は、部分的開口末端など除去された部分を有するスタンダードブチレートチューブなど分離したチューブ状構造内に設置することができる。破壊されたアンプール１４６の断片は、チューブによって含まれることができる一方、重合性接着剤１４８がチューブ及びブラダー１４０から
流れることを可能とする。
【００３８】
ブラダー１４０は、一度壊れやすいアンプール１４６が壊れると、重合性接着剤１４８を含むように設計される。重合性接着剤１４８は、プッシュボタン部１４２を押すことによってブラダー1４０の影響を受け、重合性接着剤１４８をディスプレイし、多孔性プラグ１７０を通じてそれが流れるようにする。多孔性プラグ１７０を通じて流れる重合性接着剤１４８は、アプリケーターチップとして多孔性プラグ１７０を使用する所望の部位に直接的に適用することができる。あるいは、取り外し可能な又は分離可能なチップ１５０は、塗布用多孔性プラブ１７０を通じて流れる重合性接着剤１４８を受け取ることができる。
【００３９】
重合性接着剤１４８の制御された流れは、ゆっくりであるが、ブラダー１４０の安定した圧力、例えば、プッシュボタン部１４２を所望の程度及び/又は所望の時間押すことによって、提供することにより得られる。実施態様において、プッシュボタン部１４２を押すことによってディスプレイされた堆積は、散布されるべき所望の量の重合性接着剤１４８に対応させることができる。
【００４０】
上述したように、重合性接着剤材料１４８の量は、アプリケーター/ディスペンサー１００に予め含ませることができる。アプリケーター/ディスペンサー１００は、壊れやすいアンプール１４６中の重合性接着剤材料１４８の量が散布されるか、その他に使用された(例えば重合させた)後、使い捨て、破棄することができる。あるいは、重合性接着剤材料１４８の量をアプリケーター/ディスペンサー１００から分離し、使用前にアプリケーター/ディスペンサー１００へ供給することができる。
【００４１】
実施態様において、使用者は、アプリケーター/ディスペンサー１００に入れるべきアンプール及び/又はブラダー部材(ブラダー、アンプール及びプラグ)を選択することにより種々の接着剤材料及び/又は量を選択することができる。例えば、少なくとも１つのアプリケーター/ディスペンサー１００及び複数の壊れやすいアンプール１４６(又はブラダー部材)を含むキットを提供することができる。複数の使い捨て又は分離可能なチップ１５０は、キットに含まれることもできる。キットは、イソプロピルアルコールなどの洗浄剤、又はグルテルアルデヒドなどの化学滅菌剤などを含むこともできる。キットの一部は、壊れやすいアンプール１４６(又はブランダー部材)を、例えば、ブリスターポーチなどの中へ
別々に含ませることができ、梱包しないか、必要とされるアプリケーター/ディスペンサー１００と組み合わせることができる。
【００４２】
本発明は、ここで説明された特定の設計に限定されないが、図５〜９は、本発明の第二の実施態様を図示する。図５及び６に示されるように、アプリケーター/ディスペンサー２００は、互いに相対的に可動可能な第一胴体部２１０及び第二胴体部２２０によって形成される。例えば、示した実施態様において、旋回運動コネクション２３０は、第一胴体部２１０及び第二胴体部２２０が図５に示すような開口部分から図６に示すような実質的に閉じた部分へ可動することを可能にするように提供される。図５に図示する開口部分は、アプリケーター/ディスペンサー２００に予め含ませられた重合性接着剤材料の量を有する実施態様においてコックされた部分とすることができる。
【００４３】
図５及び６に示すように、第一胴体部２１０は、スライダー部２４０のスライドボタン部２４２が延長できる開口部を有する。以下に説明するように、スライドボタン部２４２は、使用者によって、所望量の重合性接着剤材料をアプリケーター/ディスペンサー２００から、例えば、多孔性プラグ２７０又は他の適当なチップを通じて塗布するために動かすことができる。使用者の親指又は指をスライドボタン２４２を動かすのに使用することができる一方、アプリケーター/ディスペンサー２００は、第一及び第二胴体部２１０，２２０によって取っ手として握ることができる。例えば、使用者は、ペンとしてアプリケーター/ディスペンサー２００を握り、人差し指でスライドボタン２４２に対して押すか又はスライドさせることができる。第一胴体部２１０は、使用者の親指又は指用の一又はそれ以上の外形を含むことができる。
【００４４】
スライドボタン２４２は、図５〜９に示される特定の実施態様に限定されない。スライドボタン２４２は、プランジャー部２４４へ向って移動するように配置されたシリンジシャフトなどレバー又は他の適用可能な機構によって形成することができる。
【００４５】
図７は、開口部における第一及び第二胴体部２１０、２２０を有するアプリケーターディスペンサー２００の断面図を示す。示すように、第一及び第二胴体部２１０、２２０は、重合性接着剤材料２８２の量を含む壊れやすいアンプール２８０が中へ設置することができるチャンバー２６０を明らかにする。図７に示すように、第一胴体部２１０は、スライド部２４０のスライドボタン部２４２が延長することができる開口２１４を有する。示される実施態様において、開口２１４は、スライド部が、アプリケーター/ディスペンサー２００の軸方向へ動くことが可能な引き伸ばしたスロットである。それゆえ、以下に説明するように、スライドボタン部２４２は、スライド部２４０のプランジャー部２４４が可動するために、使用者によって動かすことができる。壊れやすいアンプール２８０は、例えば,第二胴体部２２０上に提供される貫通又は切断部材２２２によって一度破壊されると、多孔性プラブ２７０に向うプランジャー部２４４の動きは、重合性接着剤材料２８２をアプリケーター/ディスペンサー２００から散布されるようにする。
【００４６】
図示しないが、第二の実施態様は、第一の実施態様に関して上述したような使い捨て又は分離可能なチップも含むことができる。
【００４７】
図８は、アプリケーター/ディスペンサー２００から除去されたスライド部材２４０の例示的実施態様を示す。スライドボタン部２４２及びプランジャー部２４４は、スライド部材２４０の中間部２４６によって結合されている。中間部２４６は、重合性接着剤材料２８２によって引き起こされるいかなる抵抗に対してもプランジャー部２４４を運ぶために、十分硬くあるべきであり、プランジャー２４４とチャンバー２６０の間、及び/又は壊れたアンプール２８０へ接触すべきである。他方、スライドボタン部２４２は、使用者の指又は親指に対して心地よく及び/又は適当なグリップを提供するラバー材料又はプラスチック材料からなることができる。プランジャー部２４４は、チャンバー２６０内をスライドするラバー材料又はプラスチック材料からなることができる一方、使用中に重合性接着剤材料２８２が実質的な漏れを防止するためにチャンバー２６０の内部表面に対して十分な密閉を提供する。あるいは、プランジャー部２４４は、適当な材料の一又はそれ以上のシールリングで提供されることができる。スライドボタン部２４２及び中間部２４６は、例えば、ABS、ポリカーボネート、ULTEM(登録商標)などのいすれかの種々の熱可塑性からなることができる。プランジャー部２４４及び/又はシールリング２４８は、天然、ニトリル、及びポリイソプレンなどのいずれかの種々のゴム(ラバー)からなることができる。プランジャー部２４４及び/又はシールリング２４８が、スライドできるように適当な潤滑油が提供されることができる一方、チャンバー２６０の内側表面との接触を維持する。好ましくは,選択される潤滑油及び材料は、接着剤材料と反応せず、また、接着剤材料の重合化の促進を引き起こさない。
【００４８】
図９は、チャンバー２６０内に挿入されたスライド部材２４０、スライドボタン２４２、プランジャー部２４４、及び壊れやすいアンプール２８０を図示する。図９に示すように、貫通又は切断部材２２２は、第二胴体部２２０の内部表面から内的に延長する。切断部材２２２は、第一及び第二胴体部２１０、２２０が図５に示される開口部から図６に示される閉鎖部へ動くとき、壊れやすいアンプール２８０が切断部材２２２によって破壊されるように設置される。第一及び第二胴体部２１０２２０は、旋回連結部２３０上のレバーとして作用し、それゆえ、壊れやすいアンプール２８０の破壊を容易にする機械的利点を提供する。
【００４９】
第一の実施態様に関して上述したように、一旦、第一及び第二胴体部２１０２２０が図６に示される閉鎖部分へ移動し、壊れやすいアンプール２８０が破壊されると、第一及び第二胴体部２１０、２２０は、図５に示される開口部へ偶発的に戻ることを防止することができる。
【００５０】
切断部材２２２は、示した実施態様において多孔性プラグ２７０から離れた壊れやすいアンプール２８０の末端近くに位置されるが、切断部材２２２及び壊れやすいアンプールは、壊れやすいアンプール２８０が、重合性接着剤２８２が壊されたアンプール２８０のより大きな断片によって衝撃を受けないことを確実にするために多孔性プラグ２７０により近い末端近傍で破壊されうように位置することができる。さらに、切断部材２２２は、単一の局所的な部材として示される一方、切断部材２２２は、全アンプール２８０の部分に沿って延長することができるか、及び/又は多数の切断部材からなることができると理解されるべきである。さらに、アンプール２８０は、単一のアンプールとして示される一方、多数のアンプールを提供することができると理解されるべきである。例えば、一つのアンプールは、接着剤材料を含むことができる一方、他のアンプールは、薬剤などの生物学的活性物質、又は他の材料を含むことができる。
【００５１】
チャンバー２６０は、壊れやすいアンプール２８０が一旦破壊されると、重合生接着剤２８２を含むように設計される。重合性接着剤２８２は、スライド部材２４０のプランジャー部２４４が重合性接着剤２８２をディスプレイし、多孔性プラグ２７０を通じてそれが流れるようにするために、スライドボタン部２４２を動かすことによって、チャンバー２６０から影響を受けることができる。多孔性プラブ２７０を通じて流れる重合性接着剤２８２は、アプリケーターチップとして多孔性プラグ２７０を使用して所望の部位へ直接的に適用することができる。あるいは、使い捨て可能な又は分離可能なチップは、塗布用にディスペンさー/アプリケーター２００を通じて流れる重合性接着剤２８２を受け取ることができる。
【００５２】
重合性接着剤２８２の制御された流れは、スライドボタン部２４２を所望の程度へ動かすことによって得ることができる。実施態様において、スライド部材２４０の動きは、ディスペンサー/アプリケーター２００内で圧力をつくり、重合成接着剤２８２が流れるようにすることができる。
【００５３】
上述したように、重合性接着剤材料２８２の量は、アプリケーター/ディスペンサー２００において予め含まれることができる。アプリケーター/ディスペンサー２００は、壊れやすいアンプール２８０において重合性接着剤材料２８２の量が散布されるか又は他に使用(すなわち重合化)された後、処分又は破棄する庫とができる。あるいは、重合性接着剤材料２８２は、アプリケーター/ディスペンサー２００から分離し、使用前にアプリケーター/ディスペンサーに供給することができる。
【００５４】
実施態様において、使用者は、アプリケーター/ディスペンサー２００に挿入すべき壊れやすいアンプールを選択することによって、種々の接着剤材料及び/又は量から選択することができる。例えば、少なくとも一つのアプリケーター/ディスペンサー２００及び複数の壊れやすいアンプール２８０を含むキットを提供することができる。複数の使い捨て可能な又は分離可能なチップもキットに含むことができる。
【００５５】
本発明は、ここで示された特定の設計に限定されないが、図１０〜１２は、本発明の第三の実施態様を図示する。図１０及び図１１に示すように、アプリケーター/ディスペンサー３００は、互いに相対的に可動可能な第一胴体部３１０及び第二胴体部３２０によって形成される。例えば、示した実施態様において、第一胴体部３１０は、図１１に示されるような開口末端３１４を提供するために互いに固定する２つの部材によって形成されることができる。第二胴体部３２０は、第一胴体部３１０の末端３１４上に回転可能に位置する。
【００５６】
図１０及び図１１に示すように、第一胴体部３１０は、ブラダー３４０のプッシュボタン部３４２がそれを通じて延長できる開口３１２を有する。以下で説明するように、プッシュボタン部３４２は、所望の量の重合性接着剤材料をアプリケーター/ディスペンサー３００、例えば、使い捨て可能な又は分離可能なチップ３５０を通じて散布するために使用者によって押すことができる。使用者の親指又は指が、プッシュボタン部３４２を押すのに使用することができる一方、アプリケーター/ディスペンサー３００は、取っ手として第一胴体部３１０によって握られる。例えば、使用者は、アプリケーター/ディスペンサー３００をペンとして握り、人差し指でブッシュボタン部３４２を押すことができる。
【００５７】
取り外し可能又は分離可能なチップ３５０は、いかなる所望の構造とすることができると理解されるべきである。チップ３５０は、特別の用途用に選択することができ、示されたテーパノズル設計に限定されない。例えば、アプリケーターチップは、繊維性スワブ、スポンジスワブ、発泡スワブ、ブラシ、スパチュラーなどとすることができる。既知の又は今後開発されるいずれかの適当なチップも本発明によるアプリケーター/ディスペンサーと使用することができる。
【００５８】
チップ３５０は、アプリケーター/ディスペンサー３００の第一胴体部３１０の末端３１４で固定するように設計することができる。あるいは、チップ３５０は、以下に述べるようなブラダー３４０の開口末端において位置する多孔性プラグ３７０条に直接的に固定することができる。さらに、一度、例えば、第一胴体部３１０の末端３１４へ連結することによって、アプリケーター/ディスペンサー３００が組み立てられれば、チップ３５０は、取り外し不可能とすることができる。
【００５９】
第一胴体部３１０、第二胴体部３２０、ブラダー３４０及び/又はチップ３５０は、いずれの適当な材料、好ましくは、時期尚早の重合化を回避するために散布すべき重合性接着剤材料の安定性を向上させる材料からなることができる。
【００６０】
多孔性プラブ３７０は、散布すべき接着剤材料に対して、重合開始剤又は速度修正剤を含むことができる。多孔性プラグ３７０は、重合開始剤又は速度修正剤で染み込ますことができるか、または、その表面上に被膜した重合開始剤又は速度修正剤を有することができる。
【００６１】
図１１は、第三の例示的実施態様の分解図である。第一の実施態様に関して上述したように、ブラダー３４０は、多孔性プラグ３７０が中に固定された開口末端３４４を有する。ブラダー３４０の少なくともプッシュボタン部３４２は、柔軟な材料からなる。ラダー３４０は、例えば、塩化ポリビニル、ポリエチレン、ポリウレタン、天然ゴム、ニトリルゴム、などの適当なゴム又はプラスチック材料からのブロー成形とすることができる。
【００６２】
重合性接着剤３４８の量を含む壊れやすいアンプール３４６は、ブラダー３４０と並べることができる。壊れやすいアンプール３４６は、いずれかの適当な材料、好ましくは、重合性接着剤材料３４８の安定性及び貯蔵寿命を向上させる材料からなることができる。たとえば、壊れやすいアンプール３４６は、ガラスからなることができる。他の材料、例えば、プラスチック材料又はアルミニウムなどの穴があく金属材料も壊れやすいアンプール３４６に使用することができる。上述した図１〜４の実施態様と同様に、本発明のディスペンサー/アプリケーターに使用することができる適当なアンプールの例は、例えば、ここで参照により全体の開示を組み込む米国特許番号5,928,611号に開示されている。実際に、このようなアンプールを本発明に使用した場合、それによって、アンプール３４６だけでなく、多孔性プラグ３７０を構成する全アンプール/アプリケーター装置を使用することができる。このような実施態様において、本発明のディスペンサー/アプリケーターは、Ethicon(Somerville, New Jersey)から入手可能な局所的皮膚接着剤製品DERMABOND(登録商標)に含まれる接着剤を散布又は適用するために特に適当である。
【００６３】
ブラダー３４０、プッシュボタン部３４２、壊れやすいアンプール３４６及び多孔性プラグ３７０を組み立て、第一胴体部３１０の２つの断片間の空間へ挿入することができ、多孔性プラグ３７０は、第一胴体部３１０の開口末端３１４を通じて延長し、第二胴体部３２０は、第一胴体部３１０の末端３１４に回転自在に位置する。
【００６４】
図１１、１２に示すように、第一胴体部３１０の末端３１４は、内的に延長する貫通又は切断部材３１６を含む。切断部材３１６は、第二胴体部３２０の内部表面上に位置するカム表面又は傾斜台が切断部材３１６を壊れやすいアンプール３４６の中へ押圧するように、第一及び第二胴体部３１０、３２０が互いに相対的に回転したとき、壊れやすいアンプール３４６が切断部材３１６によって破壊されるように、切断部材３１０を位置させる。相対的な回転において、カム表面又は傾斜台は、末端３１４の外部表面を越えて延長し、壊れやすいアンプール３４６に対して内的に切断部材３１６を押圧する切断部材３１６の部分と接触する。カム表面又は傾斜台は、壊れやすいアンプール３４６の切断を容易にするための機械的利点を提供する。
【００６５】
ブラダー３４０は、一度壊れやすいアンプール３４６が破壊されると、重合性接着剤３４８を含むように設計されている。重合性接着剤３４８は、プッシュボタン部３４２を押すことによってブラダー３４０から影響を受け、重合性接着剤３４８をディスプレイし、それが、多孔性プラグ３７０を通じて流れるようにする。多孔性プラブ３７０を通じて流れる重合性接着剤３４８は、チップ３５０を使用して所望の部位へ適用することができる。
【００６６】
重合性接着剤３４８の制御された流れは、プッシュボタン部３４２を所望の程度及び/又は所望の回数押すことによって得ることができる。実施態様において、プッシュボタン３４２を押すことによってディスプレイされる体積は、散布されるべき重合性接着剤３４８の所望の計算量に対応することができる。
【００６７】
上述したように、重合性接着剤材料３４８の量は、アプリケーター/ディスペンサー３００に予め含ませることができる。アプリケーター/ディスペンサー３００は、壊れやすいアンプール３４６中の重合性接着剤材料の３４８が散布又はその他に使用された後(すなわち、重合)、使い捨て及び破棄することができる。あるいは、重合性接着剤材料３４８の量は、アプリケーター/ディスペンサー３００から分離し、使用前にアプリケーター/ディスペンサー３００へ供給することができる。
【００６８】
実施態様において、使用者は、アプリケーター/ディスペンサー３００に挿入されるべき壊れやすいアンプール及び/又はブタダー組立品(ブラダー、アンプール、及びプラグ)を選択することによって種々の接着剤材料及び/又は量から選択することができる。例えば、少なくとも１つのアプリケーター/ディスペンサー３００及び複数の壊れやすいアンプール３４６(又はブラダー組立品)を含むキットを提供することができる。複数の取り外し可能な又は分離可能なチップ３５０もキットに含むことができる。
【００６９】
本発明は、ここで示された特定の設計に限定されないが、図１３〜１５は、本発明の第四の実施態様を図示する。図１３〜１５に示すように、アプリケーター/ディスペンサー４００は、互いに相対的に可動可能な第一胴体部４１０及び第二胴体部４２０によって形成される。例えば、示される実施態様において、第一胴体部、４１０は、互いに固定した２つの断片によって形成することができ、図１５に示されるような開口末端４１４を提供する。第二胴体部４２０は、第一胴体部４１０の末端４１４上に回転可能に位置する。
【００７０】
図１３〜１５に示したように、第一胴体部４１０は、ブラダー４４０のプッシュボタン部４４２がそれを通じて延長できる開口４１２を有する。以下に説明するように、プッシュボタン部４４２は、所望量の重合性接着剤材料を、例えば、取り外し可能か又は分離可能なチップ(図示しないが)を通じて、アプリケーター/ディスペンサー４００から散布するために、使用者によって押されることができる。使用者の親指又は指は、プッシュボタン部４４２を押すのに使用することができる一方、アプリケーター/ディスペンサー４００は、取っ手として第一胴体部４１０によって握られる。例えば、使用者は、ペンとしてアプリケーター/ディスペンサー４００を握り、人差し指でプッシュボタン４４２を押すことが出来る。
【００７１】
第一胴体部４１０、第二胴体部４２０、及び/又はブラダー４４０は、いずれかの適当な材料、好ましくは,時期尚早の重合化を回避するために、散布すべき重合性接着剤材料の安定性を向上させる材料からなることができる。
【００７２】
多孔性プラブ４７０は、更に以下で述べるように、ブラダー４４０の開口末端に位置させる。多孔性プラグ４７０は、散布すべき重合性接着剤材料の重合開始剤、又は速度修正剤を含むことができる。多孔性プラブ４７０を、重合開始剤又は速度修正剤で染み込ますか、その表面に被膜した重合開始剤又は速度修正剤を有することができる。
【００７３】
図１５は、第四の例示的実施態様の分解図を示す。第一の実施態様に関して、上述したように、ブラダー４４０は、多孔性プラブ４７０を中に固定した開口末端４４４を有する。ブラダー４４０の少なくともプッシュボタン部４４２は、柔軟性材料からなる。ブラダー４４０は、適当なゴム又はプラスチック材料、例えば、塩化ポリビニル、ポリエチレン、ポリウレタン、天然ゴム、ニトリルゴムなどをブロー成形することができる。
【００７４】
重合性接着剤４４８の一定量を含む壊れやすいアンプール４４６は、ブラダー４４０に散布される。壊れやすいアンプール４４６は、いずれかの適当な材料、好ましくは、重合性接着剤材料４４８の安定性、貯蔵寿命を向上させる材料からなることができる。たとえば、壊れやすいアンプール４４６は、ガラスからなることができる。他の材料、例えば、プラスチック材料又はアルミニウムなど穴のあく金属材料を壊れやすいアンプール４４６に使用することができる。上述した図１〜４の実施態様と同様に、本発明のディスペンサー/アプリケーターに使用することができる適当なアンプールの例は、例えば、ここで全体の開示を参照により組み込む米国特許第５９２８６１１号に開示されている。事実、当該アンプールを本発明に使用する場合、アンプール４４６だけでなく、多孔性プラグ４７０を構成する全体のアンプール/アプリケーター装置を使用することができる。当該実施態様において、本発明のディスペンサー/アプリケーターは、Ethicon(Somerville, New Jersey)から入手可能な局所的スキン接着剤製品DERMABOND(登録商標)に含まれる接着剤を散布又は適用するために特に適当である。
【００７５】
第四の実施態様において、アンプール４４６は、チューブ４４７に囲まれる。チューブ４４７は、例えば、ブタレート、又はポリエチレンなどの適用されるべき特定の接着剤と互換性があるいずれかの適当な材料からなり、所望の用途に基づき選択することができる。
【００７６】
示されるように、チューブ４４７は、そこで形成されるホール４４９を有する。組み立てるとき、チューブ４４７は、ホール４４９がブラダー４４０のプッシュボタン４４２の内部と結合して設置されるようにブラダー４４０に位置される。以下に述べるように、これは、プッシュボタン４４２の下降が接着剤４４８を放出するための圧力を適用させることを可能とする。実施態様において、チューブ４４７は、ホール４４９が適当な位置に維持されるようにブラダー４４０へ固定又は結合される。
【００７７】
ブラダー４４０、プッシュボタン部４４２、壊れやすいアンプール４４６、チューブ４４７、及び多孔性プラブ４７０を組み立て、第一胴体部４１０の２つの断片間の空間へ挿入することができ、多孔性プラグ４７０は、第一胴体部４１０の開口末端４１４を通じて延長し、第二胴体部４２０は、第一胴体部４１０の末端４１４に回転可能に位置される。
【００７８】
図１５に示したように、第三実施態様の図１１及び図１２に関して上述したように、第一胴体部４１０の末端４１４は、内的に延長する貫通又は切断部材４１６を含む。第四実施態様において、互いに反対に位置することが可能な２つの切断部材４１６が提供される。切断部材４１６は、第二胴体部４２０の内部表面上に位置するカム表面又は傾斜台が切断部材４１６を壊れやすいアンプール４４６の中へプレスするように、第一及び第二胴体部４１０、４２０を互いに相対的に回転したとき、壊れやすいアンプール４４６が切断部材４１６によって破壊されるように、切断部材４１６を位置させる。相対的な回転において、カム表面又は傾斜台は、末端４１４の外側表面を越えて延長し、壊れやすいアンプール４４６上に圧力を適用するためのチューブ４４７に対して内的に切断部材４４６をプレスする対応する切断部材４１６と、カム表面又は傾斜台は接触する。カム表面又は傾斜台は、壊れやすいアンプール４４６の破壊を容易にするための機械的利点を提供する。さらに、切断部材４１６は、互いに反対に位置するので、壊れやすいアンプール４４６は、破壊を容易にする場所に保持される。
【００７９】
図１４に示すように、アプリケーター/ディスペンサー４００は、使用者が、アプリケーター/ディスペンサー４００が作動するかどうか決定することを可能とする視覚可能な指標４５０を有する。視覚可能な指標４５０は、第一及び第二胴体部４１０、４２０が互いに相対的に回転するとき、使用者が同定することを可能とする１組の示された特徴又はマーキングのいずれかの他の組とすることができる。例えば,視覚可能な指標４５０は、図１４に示すように、アプリケーター/ディスペンサー４００の活性化前に初めから位置決めすることができる。第一及び第二胴体部４１０、４２０の相対的回転は、それゆえ、もはや位置決めすることなしに、視覚可能な指標４５０によって明確に指示される。
【００８０】
あるいは、又は付加的に、視覚可能な指標４５０は、第一及び第二胴体部４１０、４２０が、アンプール４４６が切断部材４１６によって破壊される位置へ相対的に回転するとき、指標する第二の特徴/マーキング又は特徴/マーキングの組からなることができる。
【００８１】
第四の実施態様において、チューブ４４７は、一度壊れやすいアンプール４４６が破壊されると、重合性接着剤を含むように設計される。重合性接着剤４４８は、ブラダー４４０のプッシュボタン部４４２を押し、ホール４４９を経て圧力が適用されて、重合性接着剤４４８が移動し、それが、多孔性プラブ４７０を通じて流れることによって、チューブ４４７から影響を受けることができる。多孔性プラグ４７０を通じて流れる重合性接着剤４４８は、その後、所望の部位へ適用される。
【００８２】
重合性接着剤４４８の制御された流れは、プッシュボタン部４４２を所望の程度及び/又は所望の回数押すことによって得ることができる。実施態様において、プッシュボタン４４２を押すことによって移動する体積は、散布されるべき接着剤４４８の所望の計算された量に対応することができる。
【００８３】
上述したように、重合性接着剤材料４４８の量は、アプリケーター/ディスペンサー４００に予め含ませることができる。アプリケーター/ディスペンサー４００は、壊れやすいアンプール４４６中の重合性接着剤材料４４８の量を散布又はさもなければ使用(すなわち、重合)した後、使い捨てるか処分することができる。あるいは、重合性接着剤材料４４８の量は、アプリケーター/ディスペンサー４００から分離し、使用前にアプリケーター/ディスペンサー４００に供給することができる。
【００８４】
実施態様において、使用者は、アプリケーター/ディスペンサー４００に挿入される壊れやすいアンプール、チューブ、及び/又はブラダー組立品(ブラダー、アンプール、チューブ及びプラグ)を選択することによって種々の接着剤材料及び/又は量を選択することができる。例えば、少なくとも１つのアプリケーター/ディスペンサー４００及び複数の壊れやすいアンプール４４６(又はブラダー組立品)を含むキットを提供することができる。
【００８５】
接着剤モノマー組成物を安定化する傾向がある材料からなる本発明のアプリケーター/ディスペンサーの部分を作ることによって、接着剤組成物は、接着剤モノマー組成物への添加剤として既知の及び当該技術で使用されたなどの１又はそれ以上の安定化剤成分を含まないか、実質的になしとしることは、本発明の実施態様において可能であり好ましい。これは、重合開始剤又は促進剤の必要性を減少又は除去することさえできる。例えば、適当な材料は、ここで全体を参照により組み込む２００１年６月６日に出願された係属中の米国特許出願番号０９/８７４，０３９号に開示されるものを含む。例えば、適当な材料は、ハロゲン化及び/又はフッ化材料を含む。
【００８６】
本発明のアプリケーター/ディスペンサー用の上述したような分離可能なチップ又は多孔性プラブのいずれかの適当なアプリケーターチップは、スワブ、ブラシ、スパチュラー、スポイト、シリンジなどを含む。所望の部位に接着剤組成物の適用を可能とするいずれの適当なアプリケーターチップを使用することができ、それゆえ、異なるアプリケーターチップを異なる適用方法ように適当なものとすることができる。アプリケーターチップは、限定されないが、円錐状、シリンドリカル、たがね状、又は長方形、台形などの多角形の形状を含む種々の適当な形状を有することができる。チップの長さ及び大きさは、種々の用途パラメータに依存して変更することができる。チップは、アプリケーター胴体から取り外し可能であり、アプリケーターの不可欠な部分とすることができる。
【００８７】
交換可能なチップは、例えば、プラスチック、発泡体、ゴム、熱可塑性樹脂、フィルム又は膜などの重合性材料を含む種々のいずれかの材料からなることができる。加えて、交換可能なチップは、ガラス、紙、セラミックス、ボール紙などの材料からなることができる。交換可能なチップ材料は、接着剤組成物の適用を向上させて、容易にするために、多孔質、吸収剤、自然における吸収剤とすることができる。一般に、チップを組み立てるのに使用される材料の唯一の限定は、チップは、散布されるべき組成物と十分に適合しなければならず、組成物上に望ましくない影響がチップと組成物との接着時に優勢にならないことがである。それゆえ、例えば、チップの中へ既に吸収され、又はチップ中へ吸収され、あるいはチップと直接的に接触したとき、接着剤組成物を含む場合の本発明の実施態様によれば、チップは、好ましくは、安定化させる傾向の材料からなるか、少なくとも接着剤モノマー組成物の重合化を早めるものではない。チップが重合性材料からなる場合、重合性材料は、上で特定されたものと同じか又は異なるものとすることができる。本発明により使用することができるチップ用の適当な設計は、例えば、ここで全体の開示を参照により組み込む１９９５年６月７日に出願された米国特許出願番号第０８/４８８,４１１号、１９９８年４月３０日に出願された第０９/０６９，９７９号、１９９８年４月３０日に出願された第０９/０６９,８７５号、１９９９年８月３０日に出願された第０９/３８５，０３０号に開示されている。
【００８８】
さらに、本発明のディスペンサー/アプリケーターチップは、製品の所望の用途に依存して、いずれかの種々のサイズで提供することができる。たとえば、標準的な好ましいスワブサイズは、約１．３cm×１．０cm×０．６４cmの大きさを有する長方形形状とすることができる。しかしながら、与えられた用途に適用するためにチップの形状及び。又は接着剤材料の量をサイズが決定する場合、より大きいか小さいサイズを使用することができる。したがって、例えば、ディスペンサー/アプリケーターは、多量の接着剤材料を要求する用途用に意図される場合、より大きい(及び/又は多くの吸収剤)チップを使用することが出来る一方、少量の接着剤材料のみを要求する用途を意図するものである場合、より小さい(及び/又はより少ない吸収剤)チップを使用することができる。要求される接着剤の量に対するチップの大きさ、又は吸収性を仕立てることは、接着剤材料の消耗を防止することに役立つことができる。例えば、大きいチップ(及び多量の接着剤)を小さい接着剤用途用に使用する場合、チップに残存する接着剤は、チップにおける接着剤の時期尚早の重合化のために一般に浪費される。
【００８９】
重合開始剤又は速度修正剤に加えて、チップは、薬剤、麻酔剤、及び/又は適用されるべき他の材料を含むことができる。
【００９０】
本発明のアプリケーター/ディスペンサーは、重合性接着剤組成物を共に表面を保護、封止、及び結合する目的のために種々の物質へ適用することができる。適当な物質は、限定されないが、金属、プラスチック、ゴム、木材、セラミックス、繊維、セメント、紙、生組織などを含む。例えば、重合及び/又は架橋可能な材料を組織の結合、出血を防止するか、あいた傷口をカバーする封止剤、治療又は他の生物学的活性剤の移送用のシステム、及び他の生物医学的な用途として役立つことができる。それらは、例えば、外科的に鋭く切れたか又は外傷によって引き裂かれた組織を封止すること、破損した骨格をセットすること、創傷から流れる血液を抑制すること、生組織の回復及び再生を助けること、やけどを治療すること、皮膚又は他の外科的又は表面外傷を整形すること(擦り傷、交換した又は生身の皮膚、及び/又は口内炎)、損傷を受けやすい組織を保護すること(例えば、人工的なカルス)、及び構造的なインプラントを提供することなど、における用途を見出す。
【００９１】
実施態様において、接着剤材料は、好ましくは、モノマー(プレポリマーを含む)接着剤組成物である。実施態様において、モノマーは、1,1-2置換エチレンモノマー、例えばαシアノアクリレートである。本発明の好ましいモノマー組成物、及びそこから形成されたポリマーは、組織接着剤、出血を防ぐか、又はあいた傷口をカバーするための封止剤、及び他の吸収性及び非吸収性の生物医学的用途において役立つ。それらは、例えば、外科的に鋭く切れたか又は外傷によって引き裂かれた組織を整形すること、薬剤の移送、やけどを治療すること、皮膚又は他の外科的又は表面外傷を整形すること(擦り傷、交換した又は生身の皮膚、及び/又は口内炎)、ヘルニアの回復、関節間軟骨の回復、生組織の回復及び再生を助けることなど、における用途を見出す。本発明の他の好ましいモノマー組成物及びそれから形成されたポリマーは、産業及び家庭用用途において、例えば、ゴム、プラスチック、木材、複合物、繊維、及び他の天然及び合成材料を結合する際に有益である。
【００９２】
モノマー(プレポリマーを含む)接着剤組成物は、1又はそれ以上の重合性モノマーを含むことができる。本発明に使用することができる好ましいモノマーは、容易に重合可能、例えば、陰イオン的に重合可能、フリーラジカル重合可能、又はポリマーを形成するための両性イオン又はイオン対によって重合可能である。ポリマーを形成するものを含む当該モノマーは、要求されないが、生分解可能である。当該モノマーは、例えば、ここでそれらの全体を参照により組み込むLeung等の米国特許第5328687号、及び第5928611号、1999年10月29日に出願された米国特許出願第09/430,177号、米国特許第6183593号に開示されている。好ましいモノマーは、限定されないが、α-シアノアクリレートなどの１，１-2置換エチレンモノマー、約１〜約20個又はそれ以上の炭素原子、好ましくは約２〜約１２個,より好ましくは、約３〜約８個の炭素原子のアルキル鎖長を有するアルキルα-シアノアクリレートである。他の適当なモノマーは、限定されないが、アルキルエステルシアノアクリレートモノマー、例えば、ここでそれらの全体を参照により組み込む2000年8月2日に出願された米国特許出願第09/630,437号、及び2001年8月2日に出願された米国特許出願第09/919,877号に開示されている。
【００９３】
本発明のα-シアノアクリレートは、当該技術で既知のいくつかの方法によって調製することができる。ここで参照によりその全体を組み込むそれぞれの米国特許第2721858号、第325411号、第3995641号、及び第4364876号は、α-シアノアクリレートを調製する方法を開示する。
【００９４】
所望により、本発明のよる用途は、重合性組成物の中へ混合されたもの、銃合性組成物から別の区画にあるもののいずれかで、広範な種々のいずれの追加の材料を含むことができる。適当な追加の材料の例は、限定されないが、可塑剤、チキソトロープ剤、増粘剤、天然又は合成ゴム、安定化剤、pH修正剤、生物活性剤、架橋剤、連鎖移動剤、繊維補強剤、着色剤、防腐剤、ホルムアルデヒド減少剤又は洗浄剤、芳香剤、香料、その混合物などを含む。
【００９５】
接着剤材料は、モノマーから形成されるポリマーへ柔軟性を付与することを助ける少なくとも１つの他の可塑剤も選択的に含むことができる。可塑剤は好ましくは少量の湿気を含むか全く含まず、モノマーの安定性又は重合化に著しく影響すべきでない。適当な可塑剤の例は、限定されないが、トリブチルクエン酸塩、アセチルn-ブチルクエン酸塩(ATBC)、ポリメチルメタクリレート、ポリジメチルシロキサン、ヘキサジメチルシラザン、イソプロピルミリステート、イソプロピル  パルミテート、及び、ここで参照によりその全体を組み込む1999年12月23日に出願された米国特許出願第09/471392号にリストされている他のものを含む。
【００９６】
接着剤材料は、少なくとも１つのチキソトロープ剤も選択的に含むことができる。適当なチキソトロープ剤が当業者に既知で、限定されないが、シリルイソシアネートで処理されるもののようなシリカゲル、及び選択的に表面処理された二酸化チタンを含む。適当なチキソトロープ剤及び増粘剤の例は、ここで参照によりその全体を組み込む米国特許第4720513号、及び1999年8月12日に出願された米国特許出願第09/374207号に開示されている。
【００９７】
接着剤材料は、増粘剤も選択的に含むことができる。適当な増粘剤は、ポリ(２−エチルヘキシルメタクリレート)、ポリ(２−エチルヘキシルアクリレート)、及び、その全体においてここで参照により開示を組み込む1999年12月23日に出願された米国特許出願第09/471392号、及び1999年8月12日に出願された米国特許出願第09/374207号にリストされる他のものを含むことができる。
【００９８】
接着剤材料は、耐性を付与するために少なくとも1つの天然又は合成ゴムを選択的に含むことができる。適当なゴムは当業者に既知である。当該ゴムは、限定されないが、ジエン、スチレン、アクリロニトリル、及びその混合物を含む。適当なゴムの例は、その全体においてここで参照により開示を組み込む米国特許第4313865号、及び第4560723号に開示される。
【００９９】
接着剤材料は、1又はそれ以上の安定化剤、好ましくは、少なくとも１つのアニオン気相安定化剤、及び少なくとも１つのアニオン液相安定化剤の両方を選択的に含むこともできる。組成物は、アニオン安定化剤に加え又は代りに、少なくとも1つのフリーラジカル安定化剤も選択的に含むことができる。これらの安定化剤は、時期尚早の重合化を防止することができる。適当なアニオン及びフリーラジカル安定化剤は、それらの全体においてここで参照によりその開示を組み込む1999年12月23日に出願された米国特許出願第09/471392及び1998年6月18日に出願された第09/099,457号にリストされているものを含むことができる。
【０１００】
しかしながら、上述したように、安定化材料が使用される場合の実施態様など本発明の特有の利点は、別々の安定剤を組成物から省略することができる。それゆえ、実施態様において、重合性組成物は、追加の安定化剤を全く含まないか、少なくとも実質的にないものとすることが好ましい。
【０１０１】
接着剤材料は、その全体においてここで参照によりその全体の開示を組み込む1996年9月18日に出願された米国特許出願第08/714288号に開示されているような生じたポリマーの分解速度を制御するためにｐＨ調整剤を含むこともできる。
【０１０２】
本発明の接着剤材料は、ポリマーの生体内における生分解中に生産される活性ホルムアルデヒド濃度を減少させるために有効的な少なくとも１つの生物学的に適合できる薬剤（また、ここでは「ホルムアルデヒド濃度減少剤」ともいう）も含むことができる。好ましくは、この成分は、ホルムアルデヒド除去化合物である。本発明に役立つホルムアルデヒド除去化合物の例は、亜硫酸塩剤、重亜硫酸塩、亜硫酸塩剤及び重亜硫酸塩の混合物などを含む。本発明に役立つホルムアルデヒド除去化合物の追加の例及びそれらの実施のための方法は、それらの全体においてここで参照により組み込むＬｅｕｎｇ等の米国特許第5328687号、5514371号、5514372号、5575997号、5582834号及び5624669号に見出すことができる。
【０１０３】
本発明の接着剤材料から形成される接着剤の結合強度を改善するために、二官能性のモノマー架橋剤を本発明のモノマー組成物へ加えることができる。当該架橋剤は、既知である。参照によりその全体をここで組み込むOverfults等の米国特許第3940362号は、模範的な架橋剤を開示する。
【０１０４】
本発明の接着剤材料は、更に、繊維強化剤、及び染料、顔料、顔料色素等の着色剤を含むことができる。適当な繊維強化剤の例は、PGAミクロフィブリル、コラーゲンミクロフィブリル、及び、その全体を参照によりここで組み込む1999年12月23日に出願された米国特許出願第09/471392号に記載されるその他を含む。
【０１０５】
本発明に役立つ重合性接着剤材料は、組成物の貯蔵寿命を延長するために1又はそれ以上の防腐剤をさらに含むこともできる。適当な防腐剤、及びそれらを選択しそれらを組成物の中へ組み込む方法は、参照によりここで全体の開示を組み込む米国特許出願第09/430180号に開示されている。
【０１０６】
本発明の実施態様において、接着剤材料及び/又はアプリケーター/ディスペンサーの部部は、重合開始剤、促進剤、速度調整剤、及び/又は重合を開始及び/又は重合モノマー材料の架橋するための架橋剤などの追加の材料を含むことができる。当該開始剤、促進剤、速度調整剤、及び/又は架橋剤は、適切に、アプリケーターチップ、接着剤材料及び/又はその他へ含ませることができる。
【０１０７】
本発明の実施態様において、特に接着剤材料が使用前にアプリケーターチップと接着しない場合、アプリケーターチップの中へ追加の成分、例えば、重合開始剤及び/又は促進剤、麻酔剤、薬剤など、又は重合可能な接着剤に関して上述した種々の添加剤のいずれかでさえ組み込むことが可能である。これは、たとえば、通過の開始剤又は促進剤が、一度適用すると、接着剤の所望の硬化速度を与えるのに必要とする場合、又は追加の処理が要求される場合、有利である。さらに、これは、安定化剤を加えたときにしばしば生じる硬化速度損失を克服するために、追加の安定化剤、又は重合開始剤を組立品において接着剤組成物を加えなければならない場合の実施態様において有利である。
【０１０８】
実施態様において、開始剤又は促進剤材料は、重合性モノマーの重合及び/又は架橋用の開始剤及び/又は速度調整剤である。ここで使用するように、重合開始剤は、実質的に乾燥した組織(すなわち、血漿、組織液などが実質的に不存在)適用されるモノマー組成物が、周辺温度、例えば、おおよそ21〜25℃で300秒未満で重合を生じるいずれかの材料である。好ましくは、開始剤は、モノマー組成物を周辺温度で150秒未満、より好ましくは、60、90又は130秒で重合化させる。ここで使用するように、重合速度調整剤は、重合性モノマが、その材料の不存在下で重合する速度を変更するいずれの材料である。好ましくは、速度調整剤は、特に最初の作用モノマーに対してその速度を減速させるかもしれないが、重合反応速度を促進する。
【０１０９】
材料は、アプリケーターチップを重合開始剤又は促進剤を含む液体媒体で、例えば、スプレー、デッピング、インジェクティング、ブラッシングすることによって、アプリケーターチップへ適用することができる。チップをディピング又はインジェクティングによって好ましくは適用される。たとえば、チップを液体媒体のポンプ、例えばシリンジを通じてチップ上へ適用することができる。アプリケーターチップへ重合開始剤又は促進剤を適用する方法は、参照によりここで全体の開示を組み込むLeung等の米国特許第5928611号、1998年4月30日に出願された米国特許出願第09/069979号、1997年8月29日に出願された第08/920876号、1999年10月29日に出願された09/430177により詳細に開示されている。
【０１１０】
特定のモノマー用の特定の開始剤及び促進剤は、不必要な実験なしに、当業者によって容易に選択することができる。適用した接着剤の分子量配分の制御は、選択したモノマーに相対して開始剤又は促進剤の濃度及び機能性の選択によって向上させることができる。シアノアクリレート組成物用の適当な重合開始剤及び促進剤は、限定されないが、洗浄剤、界面活性剤、例えば、ポリソルベート２０(例えば、Tween２０（登録商標）ICI  Americas)、ポリソルベート８０(例えば、Tween80(登録商標)ICI  Americas)及びポロキサマー（poloxamers）などの非イオン界面活性剤を含む界面活性剤、テトラブチルアンモニウムブロミドなどのカチオン界面活性剤、塩化ベンズアルコニウムまたはその純粋な成分および塩化ベンズエトニウム、オクチル酸第１スズ（スズ（II）２−エチルヘキサノエート）およびナトリウムテトラデシルスルファート等の陰イオン界面活性剤、およびドデシルジメチル(３−スルホプロピル)アンモニウムヒドロキシド、内部塩等の両性または両性イオン界面活性剤と；イミダゾール、トリプトアミン、尿素、アルギニンおよびポビジン等のアミン、イミンおよびアミドと；トリフェニルフォスフィンおよびトリエチルフォスファイト等のフォスフィン、フォスファイト、およびフォスフォニウム塩と；エチレングリコール等のアルコールと、メチルガラートと、重硫酸ナトリウム、水酸化マグネシウム、硫酸カルシ
ウムおよびケイ酸ナトリウム等の無機塩基および塩と；チオ尿素およびポリスル
フィド等のイオウ化合物と；モネンシン、ノナクチン、クラウンエステル、カリ
ックスアレーンおよびポリメリックエポキシド等の高分子環式エステルと；炭酸
ジエチル等の環式および非環式カーボネートと、アリクアート(登録商標)３３６(General Mills, Inc., Minneapolis, MN)等の相転換触媒と；有機金属と、マンガンアセチルアセトナーテと、ラジカル開始剤,ジーT-ブチル  ペルオキシドなどのラジカルと、アゾビスイソブチロニトリルと、生物学的活性化合物又は試薬を含む。
【０１１１】
好ましい実施態様において、開始剤は、生物学的活性物質、アルキルベンジルジメチルアンモニウムクロリド(塩化ベンザルコニウム、BAC)、その純粋な成分、又はその混合物など、特に、６〜１８個の炭素原子を有するもの、塩化ベンゼトニウム、スルファジアジンの塩など4価アンモニウムハロゲンを含む。コバルトナフテネートをペルオキシドの促進剤として使用することができる。他の適当な生物学的活性物質は、ここで参照により全体の開示を組み込むLeung等の米国特許第5928611号、1997年8月29日に出願された米国特許出願第08/920876号、1999年10月29日に出願された第09/430176号、1999年10月29日に出願された第09/430,177号に開示されている。
【０１１２】
本発明における接着剤材料は、薬剤からもなることができる。薬剤の封入は、薬剤用途用に意図される組成物においてしばしば望ましい。薬剤は、梱包前に接着剤組成物を含むモノマーへ、又は、アプリケーターチップ、又は他の部分のいずれかへ加えることができる。それゆえ、薬剤は、モノマー含有接着剤組成物の適用前又は同時に組織へ適用することができる。その薬用効果を補強することに加えて、重合接着剤を形成するために、モノマーの重合化を開始させるか、又はモノマーの重合速度を調製(例えば、促進)するために共に重合性モノマー組成物と関連して機能するように、薬剤を選択することができる。薬剤及び重合性モノマーの適当な組み合わせは、当業者にとって容易に決定することができる。局所的に(すなわち、組織へ直接的に)適用するとき、薬剤的に有効的な量で、薬剤を供給することができる。
【０１１３】
当該薬剤の例は、限定されないが、抗生物質、抗菌薬、防腐剤、バクテリオシン、静菌剤、消毒薬、ステロイド、麻酔薬、殺菌剤、抗炎症剤、抗菌剤、抗ウイルス剤、抗腫瘍剤、成長促進剤、及びその混合物を含む。
【０１１４】
模範的な薬剤は、限定されないが、塩化ベンザルコニウム、塩化ベンゼトニウムなどの第4級アンモニウムハロゲン化合物と、硫酸クロルヘキシジンと、硫酸ゲンタマイシンと、過酸化水素と、キノロン系チオ尿素と、限定されないが、銀アセテート、安息香酸銀、炭酸銀、塩化銀、クエン酸銀、ヨウ化銀、硝酸銀、及び硫酸銀などを含む銀塩と、次亜鉛素酸ナトリウムと、限定されないが、銀、ナトリウム、及び亜鉛塩などのスルファジアジン塩と、その混合物を含む。
【０１１５】
好ましい薬剤は、アニオンであるか、ラジカル発生を助けるか、イオン対か又はそれら自体ラジカルであるものである。
【０１１６】
実施態様において、薬剤は、好ましくは、６〜18個の炭素原子を含むアルキル基、その純粋な成分、又はその混合物を有する塩化アルキルベンジルジメチルアンモニム(塩化ベンズアルコニウム；BAC)などの第4級アンモニウムハロゲン化合物と、又は塩化ベンゼトニウム、又は銀、ナトリウム、亜鉛塩などのスルファジアジン塩である。
【０１１７】
薬剤は、適用の部位でのみ（すなわち、適用される組織に限定される）薬剤的効果を有することができるか、全身性効果を有することができる(全身的に、それは、薬剤が患者の体を通じて効果を有することばかりでなく、適用の部位以外の特異的な部位でという意味である。)。薬剤が全身性薬剤活性を示すのに十分な量で適用される場合の実施態様において、それは吸収され、移送され、さもなければ、薬剤活性が望まれる患者の中での部位又は複数の部位、例えば血管、リンパ系を通じて貢献することができる。薬剤は、固体の形状、例えば、粉末又は固形フィルム、又は液体の形状、例えば、水、粘性又はペースト状の物質とすることができる。薬剤は、種々の添加物、例えば、界面活性剤、乳化剤、担体などで合成することもできる。
【０１１８】
重合性及び/又は架橋物質は、ストレート(追加の化合物を含まず)又は溶媒、エマルジョン、又は懸濁液中とすることができる。本発明による適当な溶媒は、アルコール、エーテルアルコール、炭化水素、ハロゲン化炭化水素、エーテル、アセタール、ケトン、エステル、酸、硫黄又は窒素含有有機化合物、その混合物などを含む。他の適当な溶媒は、参照によりここで全体の開示を組み込むHughes等の米国特許第5130369号、Hattori等の第5216096号に開示されている。これらの溶媒は、単独又は2つ又はそれ以上の組み合わせで使用することができる。それらは、重合性及び/又は架橋物質が当該混合物中において溶解するか懸濁する程度の水とあわせて使用することもできる。重合性及び/又は架橋材料の中へ組み込むことができる全体の溶媒の量は、０〜９９、好ましくは１〜５０、より好ましくは３〜２５重量％とすることができる。もちろん量の選別は、所望のモノマー及びプロセス条件に依存し、これら範囲外の量は、許容できる。
【０１１９】
実施態様において、モノマー組成物及び/又はそのパッケージングは、好ましくは、消毒される。モノマー組成物及び/又はそのパッケージングの消毒は、当業者に既知の技術によって行なうことができ、限定されないが、化学的、物理的、及び/又は照射的方法を含む方法によって好ましくは行なわれる。化学的方法の例は、限定されないが、エチレンオキサイド、又は過酸化水素気相へ曝すことを含む。物理的方法の例は、限定されないが、加熱(乾燥又は湿気)又はレトルト缶による消毒を含む。放射的方法の例は、限定されないが、ガンマ線、電子微0-ム照射、マイクロウェーブ照射を含む。好ましい方法は、参照によりここで全体の開示を組み込む1998年2月18日に出願された米国特許出願第09/025472号に開示されているような電子ビーム照射である。組成物は、その有益な寿命中に生組織へ低い毒性レベルを示さなければならない。本発明の好ましい実施態様において、組成物は、少なくとも１０-3の殺菌保証レベル(SAL)を提供するように殺菌される。実施態様において、殺菌保証レベルは、少なくとも１０-4、又は少なくとも１０−５、又は少なくとも１０−６とすることができる。殺菌の更なる詳細は、組み込まれる米国特許出願第09/874039号に開示される。
【０１２０】
種々の模範的実施態様の個別の特徴は、与えられた用途に対して所望により含み又は除外することができると理解されるべきである。このように、記述した特徴の全ての可能な組み合わせは、本発明に含まれると考えられる。
【０１２１】
したがって、本発明は、模範的な実施態様の点で説明される一方、本発明は、それらの実施態様の特定の構成に限定されないと理解されるべきである。当業者は、本発明の範囲内にある限り、これら実施態様の種々の修正及び/又は変更をすることができると認識するであろう。
【図面の簡単な説明】
【０１２２】
【図１】図１は、本発明の第一の例示的な実施態様の透視図を示す。
【図２】図２は、アプリケーター/ディスペンサーの動作を説明する図１の例示的実施態様の透視図を示す。
【図３】図３は、図１の例示的な実施態様のブレンダ-部とアンプールの透視図を示す。
【図４】図４は、図１の例示的な実施態様の部分的な断面図を示す。
【図５】図５は、本発明の第二の例示的な実施態様の透視図を示す。
【図６】図６は、アプリケーター/ディスペンサーの動作を図説する図５の例示的実施態様の透視図を示す。
【図７】図７は、図５の例示的実施態様の断面図を示す。
【図８】図８は、図５の例示的実施態様のスライダー体の透視図である。
【図９】図９は、図５の例示的実施態様の部分的な断面図である。
【図１０】図１０は、本発明の第三の例示的実施態様の透視図である。
【図１１】図１１は、図１０の例示的実施態様の分解組み立て図である。
【図１２】図１２は、図１０の例示的実施態様の一部拡大図である。
【図１３】図１３は、本発明の第四の例示的実施態様の上部透視図である。
【図１４】図１４は、図１３の例示的実施態様の底部透視図である。
【図１５】図１５は、図１３の例示的実施態様の分解組み立て図である。
【図１】
2004337837.tif 000003
【図２】
2004337837.tif 000004
【図３】
2004337837.tif 000005
【図４】
2004337837.tif 000006
【図５】
2004337837.tif 000007
【図６】
2004337837.tif 000008
【図７】
2004337837.tif 000009
【図８】
2004337837.tif 000010
【図９】
2004337837.tif 000011
【図１０】
2004337837.tif 000012
【図１１】
2004337837.tif 000013
【図１２】
2004337837.tif 000014
【図１３】
2004337837.tif 000015
【図１４】
2004337837.tif 000016
【図１５】
2004337837.tif 000017
【外国語明細書】
2004337837.tif 000018
2004337837.tif 000019
2004337837.tif 000020
2004337837.tif 000021
2004337837.tif 000022
2004337837.tif 000023
2004337837.tif 000024
2004337837.tif 000025
2004337837.tif 000026
2004337837.tif 000027
2004337837.tif 000028
2004337837.tif 000029
2004337837.tif 000030
2004337837.tif 000031
2004337837.tif 000032
2004337837.tif 000033
2004337837.tif 000034
2004337837.tif 000035
2004337837.tif 000036
2004337837.tif 000037
2004337837.tif 000038
2004337837.tif 000039
2004337837.tif 000040
2004337837.tif 000041
2004337837.tif 000042
2004337837.tif 000043
2004337837.tif 000044
2004337837.tif 000045
2004337837.tif 000046
2004337837.tif 000047
2004337837.tif 000048
2004337837.tif 000049
2004337837.tif 000050
2004337837.tif 000051
2004337837.tif 000052
2004337837.tif 000053
2004337837.tif 000054
2004337837.tif 000055
2004337837.tif 000056
2004337837.tif 000057
2004337837.tif 000058
2004337837.tif 000059
2004337837.tif 000060
2004337837.tif 000061
2004337837.tif 000062
2004337837.tif 000063
2004337837.tif 000064
2004337837.tif 000065
2004337837.tif 000066
2004337837.tif 000067